(57)【要約】【課題】従来の番組予約サービスは、会員宅の録画装置へ予約を行なうので、録画番組が設置地域の番組に限られ、また容量不足、予約不備による録画ミスもある。また、センターへの録画サーバ設置は、コスト高となる。【解決手段】サービス提供サーバ１０１は、クライアント装置１１９からの要求に基づき、ネットワーク１０８を介して接続される録画再生装置１１５〜１１８の中から最適なものを検索して、番組の録画予約を行なう。また、サービス提供サーバ１０１は、クライアント装置１１９からの要求に基づき所望の番組を録画している録画再生装置を検索して、特定された録画再生装置からクライアント装置１１９への録画番組の配信指示を行なう。【選択図】図１
2006222598.tif 000002
【特許請求の範囲】
【請求項１】
サービス提供サーバと録画再生装置とを備え、通信回線を利用した会員制の番組予約サービスを行う番組予約配信システムであって、
前記サービス提供サーバは、会員のクライアント装置からのアクセス認証などを行う会員認証課金手段と、前記クライアント装置に番組情報を提供する番組情報提供手段と、会員が所望する条件で番組録画可能又は所望の番組を録画済みの全会員設置の録画再生装置から最適な録画再生装置を検索する録画再生装置管理手段と、会員が指定した番組の録画予約を行う番組録画予約手段と、会員が所望する番組を録画再生装置から会員のクライアント装置に配信する番組配信管理手段とを備え、
前記録画再生装置は、放送を受信するチューナと、前記サービス提供サーバからのアクセスの認証を行う認証手段と、前記サービス提供サーバからの要求を処理する要求処理手段と、前記サービス提供サーバからの録画予約要求により、指定された番組を録画する番組録画手段と、前記サービス提供サーバからの番組配信要求により、指定された番組を配信する番組配信手段と、前記サービス提供サーバからの状態取得要求により、予約状況、番組の保存状況や空き容量などの稼動状態を通知する状態通知手段と、録画された番組を管理する番組管理手段とを備える、番組予約配信システム。
【請求項２】
前記サービス提供サーバは、番組情報、会員情報、及び録画再生装置の設置地域、ネットワーク・アドレス、空き容量、録画済み番組、録画予約番組、接続されている回線のネットワーク速度などの録画再生装置情報などを保持する番組予約配信データベースを備えること特徴とする請求項１記載の番組予約配信システム。
【請求項３】
前記サービス提供サーバは、会員の録画再生装置の設置地域外の番組が録画予約要求された場合、前記番組予約配信データベースから前記番組を録画予約済みの録画再生装置を検索する録画再生装置管理手段と、検索した録画再生装置に他会員から番組録画要求があることを通知する番組録画予約手段とを備えることを特徴とする請求項２記載の番組予約配信システム。
【請求項４】
前記サービス提供サーバは、会員の録画再生装置の設置地域外の番組が録画予約要求され、前記番組予約配信データベースから前記番組を録画予約済みの録画再生装置が検索できない場合、前記番組の放送時間帯に予約が入っていない録画再生装置を検索する録画再生装置管理手段と、検索した録画再生装置に他会員から番組録画要求があることを通知する番組録画予約手段とを備えることを特徴とする請求項２記載の番組予約配信システム。
【請求項５】
前記サービス提供サーバは、会員の録画再生装置に録画空き領域がない場合、前記番組予約配信データベースから前記番組を録画予約済みの録画再生装置を検索する録画再生装置管理手段と、検索した録画再生装置に他会員から番組録画要求があることを通知する番組録画予約手段とを備えることを特徴とする請求項２記載の番組予約配信システム。
【請求項６】
前記サービス提供サーバは、会員の録画再生装置に空き領域がなく、前記番組予約配信データベースから前記番組を録画予約済みの録画再生装置が検索できない場合、前記番組の放送時間帯に予約が入っていない録画再生装置を検索する録画再生装置管理手段と、検索した録画再生装置に他会員から番組録画要求があることを通知する番組録画予約手段とを備えることを特徴とする請求項２記載の番組予約配信システム。
【請求項７】
前記サービス提供サーバは、会員の録画再生装置に録画予約要求する際、前記番組の放送時間帯に録画予約がある場合、前記番組予約配信データベースから前記番組を録画予約済みの録画再生装置を検索する録画再生装置管理手段と、検索した録画再生装置に他会員から番組録画要求があることを通知する番組録画予約手段とを備えることを特徴とする請求項２記載の番組予約配信システム。
【請求項８】
前記サービス提供サービスは、会員の録画再生装置に録画予約要求する際、前記番組の放送時間帯に録画予約があり、前記番組予約配信データベースから前記番組を録画予約済みの録画再生装置を検索できない場合、前記番組の放送時間帯に予約が入っていない録画再生装置を検索する録画再生装置管理手段と、検索した録画再生装置に他会員から番組録画要求があることを通知する番組録画予約手段とを備えることを特徴とする請求項２記載の番組予約配信システム。
【請求項９】
前記録画再生装置は、番組毎の参照カウントを管理し、他会員からの録画予約要求により当該番組の参照カウントを増加し、予約キャンセル、配信処理の完了により当該番組の参照カウントを減少する番組管理手段を備えることを特徴とする請求項２記載の番組予約配信システム。
【請求項１０】
前記録画再生装置の番組管理手段は、参照カウントが０になるまで、番組録画予約を削除しないことを特徴とする請求項９記載の番組予約配信システム。
【請求項１１】
前記録画再生装置の番組管理手段は、参照カウントが０になるまで、録画された番組を削除しないことを特徴とする請求項９記載の番組予約配信システム。
【請求項１２】
前記録画再生装置の番組管理手段は、他会員からの録画予約要求により録画された番組が所定の保管期間を過ぎた場合参照カウントが０でなくとも、削除することを特徴とする請求項９記載の録画予約システム。
【請求項１３】
前記サービス提供サーバは、会員の録画再生装置の設置地域外の番組予約を行う場合、前記番組予約配信データベースから前記番組を指定の録画品質で録画予約済みの録画再生装置を検索する録画再生装置管理手段と、検索した録画再生装置に他会員から番組録画要求があることを通知する番組録画予約手段とを備えることを特徴とする請求項２記載の番組予約配信システム。
【請求項１４】
前記サービス提供サーバは、会員の録画再生装置が録画空き容量不足である場合、前記番組予約配信データベースから指定の番組を指定の録画品質で録画予約済みの録画再生装置を検索する録画再生装置管理手段と、検索した録画再生装置に他会員から番組録画要求があることを通知する番組録画予約手段とを備えることを特徴とする請求項２記載の番組予約配信システム。
【請求項１５】
前記サービス提供サーバは、会員からの録画済み番組配信要求により、前記番組予約配信データベースから会員指定の番組を録画した録画再生装置を検索する録画番組管理手段と、検索された録画再生装置に対して配信要求を出し、送られてくる番組データを会員のクライアント装置にリレー配信する番組配信管理手段とを備えることを特徴とする請求項２記載の番組予約配信システム。
【請求項１６】
前記サービス提供サーバは、会員からの録画済み番組配信要求により、前記番組予約配信データベースから会員指定の番組を録画した録画再生装置を検索する録画番組管理手段と、検索された録画再生装置に対してクライアント装置とのピア・ツー・ピアで配信するために配信要求を出す番組配信管理手段とを備えることを特徴とする請求項２記載の番組予約配信システム。
【請求項１７】
前記録画再生装置は、録画再生装置とクライアント装置間で、ピア・ツー・ピアで番組配信している際に、番組の再生位置、転送速度、遅延などのネットワークの状態などの情報をサービス提供サーバに定期的に通知する状態通知手段を備えることを特徴とする請求項１６記載の番組予約配信システム。
【請求項１８】
前記サービス提供サーバは、録画再生装置とクライアント装置間をリレー配信している際に、番組の再生位置、転送速度、遅延などのネットワークの状態などを監視する所定の転送速度以下になった際に、配信中の番組を録画した別の録画再生装置があるかどうか番組予約配信データベースから検索し、見つかった場合、その録画再生装置を配信元に変更する番組配信手段を備えることを特徴とする請求項１５記載の番組予約配信システム。
【請求項１９】
前記サービス提供サーバは、録画再生装置とクライアント装置間で、ピア・ツー・ピアで番組配信している際に、受け取った状態通知から配信状態を監視し、所定の転送速度以下になった際に、配信中の番組を録画した別の録画再生装置があるかどうか番組予約配信データベースから検索し、見つかった場合、その録画再生装置を配信元に変更する番組配信手段を備えることを特徴とする請求項１６記載の番組予約配信システム。
【請求項２０】
前記サービス提供サーバは、別会員の録画再生装置に対して番組録画を行った際に、前記別会員に回数・時間に応じて貸出ポイントを付与する会員認証課金手段を備えることを特徴とする請求項２記載の番組予約配信システム。
【請求項２１】
前記サービス提供サーバは、別会員の録画再生装置に対して番組視聴を行った際に、前記別会員に回数・時間に応じて貸出ポイントを付与する会員認証課金手段を備えることを特徴とする請求項２記載の番組予約配信システム。
【請求項２２】
前記サービス提供サーバは、会員が配信により番組の視聴を行った場合の視聴回数を管理し、回数に応じて会員に課金する会員認証課金手段を備えることを特徴とする請求項２記載の番組予約配信システム。
【請求項２３】
前記サービス提供サーバは、会員に付与された貸出ポイントを番組視聴に対する課金に充当する会員認証課金手段を備えることを特徴とする請求項２記載の番組予約配信システム。
【請求項２４】
前記サービス提供サーバの館員認証課金手段は、会員が支払うサービス会費や番組配信における課金などを原資として、各番組の配信回数などを監視し、著作権者に対して支払う総額を管理することを特徴とする請求項２２記載の番組予約配信システム。
【発明の詳細な説明】
【技術分野】
【０００１】
本発明は、インターネットなどのネットワークを利用して、テレビ番組などの番組予約や番組配信を行う番組予約配信システムに関するものである。
【背景技術】
【０００２】
現在、インターネットや携帯電話を利用して、テレビ番組情報の提供やその情報を基に自宅に設置され、ネットワークに接続されたＤＶＤやＨＤＤを記録媒体に持つレコーダや、テレビチューナを内蔵したＰＣ等に番組録画予約を行う番組予約サービスが普及しつつある。本サービスを利用すれば、自宅においては簡単に録画予約でき、また外出中にも録画予約を行うことができる。また、番組予約サービスのセンター内に録画サーバを設置し、クライアント側で録画機能を持たなくても所望番組を録画・視聴できるものがある（特許文献１）。
【特許文献１】特開２００２−２９０８８２号公報
【発明の開示】
【発明が解決しようとする課題】
【０００３】
しかし、前者の番組予約サービスは、サービス会員が予め自宅などに設置したＤＶＤ／ＨＤＤレコーダやテレビチューナを内蔵したＰＣなどの録画装置への予約を対象としており、設置地域で放送されるテレビ番組の録画しかできない。また、設置した録画装置が容量不足である場合は録画ができない。さらに、番組予約を怠った場合、録画予約はできず、その番組を視聴できないという問題がある。一方、後者のセンター側で録画サーバを設置する場合には、その設置や維持などにかかるコストが問題である。
【課題を解決するための手段】
【０００４】
上述した課題を解決するために、第１の本発明は、サービス提供サーバと記録再生装置とを備え、通信回線を利用した会員制の番組予約サービスを行う番組予約配信システムであって、前記サービス提供サーバは、会員のクライアント装置からのアクセス認証などを行う会員認証課金手段と、クライアント装置に番組情報を提供する番組情報提供手段と、会員が所望する条件で番組録画可能又は所望の番組を録画済みの全会員設置の録画再生装置から最適な録画再生装置を検索する録画再生装置管理手段と、会員が指定した番組の録画予約を行う番組録画予約手段と、会員が所望する番組を録画再生装置から会員のクライアント装置に配信する番組配信管理手段とを備え、前記録画再生装置は、放送を受信するチューナと、前記サービス提供サーバからのアクセスの認証を行う認証手段と、前記サービス提供サーバからの要求を処理する要求処理手段と、前記サービス提供サーバからの録画予約要求により、指定された番組を録画する番組録画手段と、前記サービス提供サーバからの番組配信要求により、指定された番組を配信する番組配信手段と、前記サービス提供サーバからの状態取得要求により、予約状況、番組の保存状況や空き容量などの稼動状態を通知する状態通知手段と、録画された番組を管理する番組管理手段とを備える。
【０００５】
また、第２の本発明は、第１の発明に係る番組予約配信システムであって、前記サービス提供サーバは、番組情報、会員情報、及び録画再生装置の設置地域、ネットワーク・アドレス、空き容量、録画済み番組、録画予約番組、接続されている回線のネットワーク速度などの録画再生装置情報などを保持する番組予約配信データベースを備える。
【０００６】
また、第３の本発明は、第２の発明に係る番組予約配信システムであって、前記サービス提供サーバは、会員の録画再生装置の設置地域外の番組が録画予約要求された場合、番組予約配信データベースから前記番組を録画予約済みの録画再生装置を検索する録画再生装置管理手段と、検索した録画再生装置に他会員から番組録画要求があることを通知する番組録画予約手段とを備える。
【０００７】
また、第４の本発明は、第２の発明に係る番組予約配信システムであって、前記サービス提供サーバは、会員の録画再生装置の設置地域外の番組が録画予約要求され、番組予約配信データベースから前記番組を録画予約済みの録画再生装置が検索できない場合、前記番組の放送時間帯に予約が入っていない録画再生装置を検索する録画再生装置管理手段と、検索した録画再生装置に他会員から番組録画要求があることを通知する番組録画予約手段を備える。
【０００８】
また、第５の本発明は、第２の発明に係る番組予約配信システムであって、前記サービス提供サーバは、会員の録画再生装置に録画空き領域がない場合、番組予約配信データベースから前記番組を録画予約済みの録画再生装置を検索する録画再生装置管理手段と、検索した録画再生装置に他会員から番組録画要求があることを通知する番組録画予約手段とを備える。
【０００９】
また、第６の本発明は、第２の発明に係る番組予約配信システムであって、前記サービス提供サーバは、会員の録画再生装置に空き領域がなく、番組予約配信データベースから前記番組を録画予約済みの録画再生装置が検索できない場合、前記番組の放送時間帯に予約が入っていない録画再生装置を検索する録画再生装置管理手段と、検索した録画再生装置に他会員から番組録画要求があることを通知する番組録画予約手段とを備える。
【００１０】
また、第７の本発明は、第２の発明に係る番組予約配信システムであって、前記サービス提供サーバは、会員の録画再生装置に録画予約要求する際、前記番組の放送時間帯に録画予約がある場合、番組予約配信データベースから前記番組を録画予約済みの録画再生装置を検索する録画再生装置管理手段と、検索した録画再生装置に他会員から番組録画要求があることを通知する番組録画予約手段とを備える。
【００１１】
また、第８の本発明は、第２の発明に係る番組予約配信システムであって、前記サービス提供サーバは、会員の録画再生装置に録画予約要求する際、前記番組の放送時間帯に録画予約があり、番組予約配信データベースから前記番組を録画予約済みの録画再生装置を検索できない場合、前記番組の放送時間帯に予約が入っていない録画再生装置を検索する録画再生装置管理手段と、検索した録画再生装置に他会員から番組録画要求があることを通知する番組録画予約手段とを備える。
【００１２】
また、第９の本発明は、第２の発明に係る番組予約配信システムであって、前記録画再生装置は、番組毎の参照カウントを管理し、他会員からの録画予約要求により当該番組の参照カウントを増加し、予約キャンセル、配信処理の完了により当該番組の参照カウントを減少する番組管理手段を備える。
【００１３】
また、第１０の本発明は、第９の発明に係る番組予約配信システムであって、前記録画再生装置の番組管理手段は、参照カウントが０になるまで、番組録画予約を削除しないものである。
【００１４】
また、第１１の本発明は、第９の発明に係る番組予約配信システムであって、前記録画再生装置の番組管理手段は、参照カウントが０になるまで、録画された番組を削除しないものである。
【００１５】
また、第１２の本発明は、第９の発明に係る番組予約配信システムであって、前記録画再生装置の番組管理手段は、他会員からの録画予約要求により録画された番組が所定の保管期間を過ぎた場合参照カウントが０でなくとも、削除するものである。
【００１６】
また、第１３の本発明は、第２の発明に係る番組予約配信システムであって、前記サービス提供サーバは、会員の録画再生装置の設置地域外の番組予約を行う場合、番組予約配信データベースから前記番組を指定の録画品質で録画予約済みの録画再生装置を検索する録画再生装置管理手段と、検索した録画再生装置に他会員から番組録画要求があることを通知する番組録画予約手段とを備える。
【００１７】
また、第１４の本発明は、第２の発明に係る番組予約配信システムであって、前記サービス提供サーバは、会員の録画再生装置が録画空き容量不足である場合、番組予約配信データベースから指定の番組を指定の録画品質で録画予約済みの録画再生装置を検索する録画再生装置管理手段と、検索した録画再生装置に他会員から番組録画要求があることを通知する番組録画予約手段とを備える。
【００１８】
また、第１５の本発明は、第２の発明に係る番組予約配信システムであって、前記サービス提供サーバは、会員からの録画済み番組配信要求により、番組予約配信データベースから会員指定の番組を録画した録画再生装置を検索する録画番組管理手段と、検索された録画再生装置に対して配信要求を出し、送られてくる番組データを会員のクライアント装置にリレー配信する番組配信管理手段とを備える。
【００１９】
また、第１６の本発明は、第２の発明に係る番組予約配信システムであって、前記サービス提供サーバは、会員からの録画済み番組配信要求により、番組予約配信データベースから会員指定の番組を録画した録画再生装置を検索する録画番組管理手段と、検索された録画再生装置に対してクライアント装置とのピア・ツー・ピアで配信するために配信要求を出す番組配信管理手段とを備える。
【００２０】
また、第１７の本発明は、第１６の発明に係る番組予約配信システムであって、前記録画再生装置は、録画再生装置とクライアント装置間で、ピア・ツー・ピアで番組配信している際に、番組の再生位置、転送速度、遅延などのネットワークの状態などの情報をサービス提供サーバに定期的に通知する状態通知手段を備える。
【００２１】
また、第１８の本発明は、第１５の発明に係る番組予約配信システムであって、前記サービス提供サーバは、録画再生装置とクライアント装置間をリレー配信している際に、番組の再生位置、転送速度、遅延などのネットワークの状態などを監視する所定の転送速度以下になった際に、配信中の番組を録画した別の録画再生装置があるかどうか番組予約配信データベースから検索し、見つかった場合、その録画再生装置を配信元に変更する番組配信手段を備える。
【００２２】
また、第１９の本発明は、第１６の発明に係る番組予約配信システムであって、前記サービス提供サーバは、録画再生装置とクライアント装置間で、ピア・ツー・ピアで番組配信している際に、受け取った状態通知から配信状態を監視し、所定の転送速度以下になった際に、配信中の番組を録画した別の録画再生装置があるかどうか番組予約配信データベースから検索し、見つかった場合、その録画再生装置を配信元に変更する番組配信手段を備える。
【００２３】
また、第２０の本発明は、第２の発明に係る番組予約配信システムであって、前記サービス提供サーバは、別会員の録画再生装置に対して番組録画を行った際に、前記別会員に回数・時間に応じて貸出ポイントを付与する会員認証課金手段を備える。
【００２４】
また、第２１の本発明は、第２の発明に係る番組予約配信システムであって、前記サービス提供サーバは、別会員の録画再生装置に対して番組視聴を行った際に、前記別会員に回数・時間に応じて貸出ポイントを付与する会員認証課金手段を備える。
【００２５】
また、第２２の本発明は、第２の発明に係る番組予約配信システムであって、前記サービス提供サーバは、会員が配信により番組の視聴を行った場合の視聴回数を管理し、回数に応じて会員に課金する会員認証課金手段を備える。
【００２６】
また、第２３の本発明は、第２の発明に係る番組予約配信システムであって、前記サービス提供サーバは、会員に付与された貸出ポイントを番組視聴に対する課金に充当する会員認証課金手段を備える。
【００２７】
また、第２４の本発明は、第２２の発明に係る番組予約配信システムであって、前記サービス提供サーバの会員認証課金手段は、会員が支払うサービス会費や番組配信における課金などを原資として、各番組の配信回数などを監視し、著作権者に対して支払う総額を管理するものである。
【発明の効果】
【００２８】
本発明の番組予約配信システムは、サービス会員が設置する録画装置を他のサービス会員からの使用を許可することで、録画装置の設置場所に依存しない番組予約、録画装置の容量不足が発生した場合の代替録画装置の確保、損ねた番組の視聴など地域・容量・時間に制限されない番組録画・視聴ができるという利点がある。
【００２９】
また、番組予約配信サービスのセンター側に録画サーバを設置することなく、サービス会員が設置する録画装置の稼動管理、容量管理を行い、サービス会員全員でシェアすることで、低コストでサービスを提供できるという利点がある。
【発明を実施するための最良の形態】
【００３０】
以下に本発明の実施の形態にかかる番組予約配信システムについて、図１、図２、図３を参照して説明する。
【００３１】
（実施の形態１）
図１は、本発明の実施の形態１による番組予約配信システムの構成を示めすブロック図である。同図において、１０１はサービス提供サーバ、１１５、１１６、１１７、１１７、１１８は録画再生装置、１１９はクライアント装置で、１１４のインターネットで接続されている。サービス提供サーバ１０１における、１０２は会員認証課金手段、１０３は番組情報提供手段、１０４は録画再生装置管理手段、１０５は番組録画予約手段、１０６は録画番組管理手段、１０７は番組配信管理手段、１０８はネットワーク手段、１０９は番組予約配信データベースである。番組予約配信データベースにおける、１１０は会員認証課金情報、１１１は番組情報、１１２は録画再生装置情報、１１３は番組録画予約情報である。
【００３２】
図２は、本発明の実施の形態１による番組予約配信システムの録画再生装置の構成を示すブロック図である。同図において、２０１は録画再生装置であり、２０２は、ＢＳ・地上・ＣＡＴＶチューナ、２０３は番組録画手段、２０４は認証手段、２０５は番組予約手段、２０６は要求処理手段、２０７は番組配信手段、２０８はネットワーク手段、２０９はハードディスク、２１０は番組録画予約情報、２１１は録画番組、２１２は状態通知手段、２１３は番組管理手段、２１４はＵＩ（ユーザ・インターフェース）手段、２１５は番組再生手段、２１６はモニターである。
【００３３】
図３は、本発明の実施の形態１による番組予約配信システムのクライアント装置の構成示すブロック図である。３０１はクライアント装置であり、３０２は、入力部、３０３はＨＴＭＬブラウズ手段、３０４は表示部、３０５は番組再生手段、３０６は番組配信手段、３０７はネットワーク手段である。
【００３４】
まず番組予約の処理手順に関して、図１、図２、図３を用いて説明する。
【００３５】
クライアント装置３０１は番組予約サービスの会員であるユーザからの指示によりサービス配信サーバ１０２への接続を行う。サービス提供サーバ１０１は会員認証課金手段１０２で認証を行う。認証が正常終了した場合、サービス提供サーバ１０１はＨＴＭＬなどで記載されたサービスメニュー情報を、ネットワーク手段１０８を介してクライアント装置３０１に送り、クライアント装置３０１はネットワーク手段３０７を介してＨＴＭＬブライズ手段３０３でＨＴＭＬパースし、表示部３０４で表示する。
【００３６】
ユーザは番組情報メニューを選択し、番組情報要求を、ネットワーク手段３０７を介してサービス提供サーバ１０１に送信する。
【００３７】
サービス提供サーバ１０１は番組情報提供手段１０３で番組情報１１１を、ネットワーク手段１０８を介してクライアント装置３０１に送る。
【００３８】
クライアント装置３０１はネットワーク手段３０７を介して前記情報を受信し、ＨＴＭＬブラウズ手段３０３でＨＴＭＬパースし、表示部３０４で番組情報を表示する。
【００３９】
ユーザは所望の番組を選択し、番組予約要求を、ネットワーク手段３０７を介してサービス提供サーバ１０１送信する。
【００４０】
サービス提供サーバ１０１の番組録画予約手段１０５は、番組情報１１１から録画予約要求された番組の放送地域、録画再生装置情報１１２からユーザの録画再生装置の設置地域を調べ、設置地域で放送されている番組である場合、ユーザ設置の録画再生装置に録画予約要求を送信する。設置し地域で放送されていない場合においては、録画再生装置管理手段１０４が、録画再生装置情報１１２から条件に合う録画再生装置の検索を依頼し、検索された録画再生装置に録画予約要求する。
【００４１】
また、ユーザの録画再生装置が容量不足で録画できない、あるいは要求された番組予約時間帯に別の録画予約がある場合には、番組録画予約手段１０５は、録画再生装置管理手段１０４に録画再生装置情報１１２から条件に合う録画再生装置の検索を依頼し、検索された録画再生装置に録画予約要求する。
【００４２】
録画再生装置２０１は、サービス提供サーバ１０１からの番組予約要求を、ネットワーク手段２０８を介して要求処理手段２０６で受け取り、番組予手段２０５に予約依頼する。番組予約手段２０５は指定の番組放送時間になると番組録画手段２０３に番組の録画開始を指示する。番組録画が完了すると、番組管理２１３に通知され、番組管理２１３は番組録画が終了したことをサーバ提供サーバ１０１に通知する。
【００４３】
録画再生装置２０１の番組予約２０５は番組毎の予約要求の数（参照カウント）を番組管理２１３に通知し、番組管理２１３はその参照カウントを管理する。
【００４４】
次に番組視聴の処理手順に関して、図１、図２、図３を用いて説明する。
【００４５】
クライアント装置３０１は前記サービスメニューより、番組視聴要求を、ネットワーク手段３０７を介してサービス提供サーバ１０１に送信する。サービス提供サーバ１０１は前記要求を、ネットワーク手段１０８を介して番組配信管理手段１０７で受信し、番組配信管理手段１０７は録画番組管理手順１０６に依頼し、録画予約情報１１３から要求された番組を録画した録画再生装置を検索させ、見つかった録画再生装置に配信を要求する。録画再生装置２０１は前記要求により、録画した番組の配信を開始する。サービス提供サーバ１０１を介したリレー配信を行う場合には、サーバ提供サーバ１０１に配信する。サーバ提供サーバ１０１は番組配信管理手段１０７を介して、クライアント装置３０１に配信する。前記番組配信管理手段１０７は配信時のネットワーク状態を監視し、所定の転送速度以下になった場合には、別の録画再生装置を検索するため、録画番組管理手段１０６に依頼する。
【００４６】
また、録画再生装置２０１とクライアント装置３０１間で、ピア・ツー・ピアで配信を行う場合には、録画再生装置２０１は状態通知手段２１２により再生位置と転送速度を定期的にサービス提供サーバ１０１に通知し、番組配信管理手段１０７はその情報を監視する。前記番組配信管理手段１０７は、所定の転送速度以下になった場合には、別の録画再生装置を検索するため、録画番組管理手段１０６に依頼する。
【産業上の利用可能性】
【００４７】
本発明にかかる番組予約配信システムは、インターネットなどのネットワーク回線を利用した番組予約サービスにおいて、家庭内に設置される光ディスクやＨＤＤなどの大容量の記録媒体を持つＡＶ機器等を録画装置として利用することで、低コストに代替録画サービスの提供に使用できる。
【図面の簡単な説明】
【００４８】
【図１】本発明の実施の形態１による番組予約配信システムの構成を示すブロック図
【図２】同番組予約配信システムの録画再生装置の構成を示すブロック図
【図３】同番組予約配信システムのクライアント装置の構成を示すブロック図
【符号の説明】
【００４９】
１０１    サービス提供サーバ
１０２    会員認証課金手段
１０３    番組情報提供手段
１０４    録画再生装置管理手段
１０５    番組録画予約手段
１０６    録画番組管理手段
１０７    番組配信管理手段
１０８、２０８、３０７    ネットワーク手段
１０９    番組予約配信データベース
１１０    会員認証課金情報
１１１    番組情報
１１２    録画再生装置情報
１１３    番組録画予約情報
１１４    インターネット
１１５〜１１８、２０１    録画再生装置
１１９、３０１    クライアント装置
２０２    ＢＳ・地上・ＣＡＴＶチューナ
２０３    番組録画手段
２０４    認証手段
２０５    番組予約手段
２０６    要求処理手段
２０７    番組配信手段
２０９    ハードディスク
２１０    番組録画予約情報
２１１    録画番組
２１２    状態通知手段
２１３    番組管理手段
２１４    ＵＩ手段
２１５    番組再生手段
２１６    モニター
３０２    入力部
３０３    ＨＴＭＬブラウズ手段
３０４    表示部
３０５    番組再生手段
３０６    番組配信手段
【図１】
2006222598.tif 000003
【図２】
2006222598.tif 000004
【図３】
2006222598.tif 000005